(57)【要約】  本発明は、脳の睡眠パターンを管理する方法及び装置を開示している。当該方法において、運動皮質から発射された空きパルスの体の少なくとも一部への下りに対する網状構造からの減衰／ブロック水準を測定することにより、睡眠パターンにおける脳の睡眠深度及び睡眠段階を測定することを含む。【選択図】図１
2020508823.tif 000002
【特許請求の範囲】
【請求項１】
脳の睡眠パターンを管理する方法において、
脳内の睡眠ホルモンの放出水準を測定することにより、前記睡眠パターンにおける脳の睡眠深度及び睡眠段階を確定することを含む方法。
【請求項２】
脳内の睡眠ホルモンの放出水準を測定することは、
運動皮質から発射された空きパルスの体の少なくとも一部への下りに対する網状構造からの減衰／ブロック水準を測定することを含み、
そのうち、覚醒パターンにおいて、前記減衰／ブロック水準はゼロに近い、請求項１に記載の方法。
【請求項３】
前記脳の網状構造は、前記脳の網状構造の網状脊髄束である、請求項２に記載の方法。
【請求項４】
前記減衰／ブロック水準を測定することは、
前記脳の網状構造から前記体の少なくとも一部へ下った前記運動皮質から発射された空きパルスを測定することを含む、請求項２に記載の方法。
【請求項５】
前記運動皮質から発射された空きパルスを測定することは、
前記体の少なくとも一部に測定された少なくとも１つの電位差の変化幅を測定することを含む、請求項４に記載の方法。
【請求項６】
前記体の少なくとも一部は前記体の左腕である、請求項２に記載の方法。
【請求項７】
前記睡眠段階は、睡眠開始段階、ＮＲＥＭ睡眠段階、および、ＲＥＭ睡眠段階のうちの１つを含む、請求項１に記載の方法。
【請求項８】
前記睡眠深度を測定することにより、前記睡眠段階を測定する、請求項７に記載の方法。
【請求項９】
脳が覚醒パターンから睡眠パターンへ移行する前に前記体の一部に測定された前記電位差の前記変化幅の基準線測定値を用いて、前記睡眠深度を定義する、請求項５に記載の方法。
【請求項１０】
前記睡眠深度は、前記睡眠深度＝測定された幅／前記基準線測定値で示されており、そのうち、前記睡眠深度の値が小さければ小さいほど、睡眠が深くなる、請求項９に記載の方法。
【請求項１１】
前記睡眠深度の値の面では、前記段階は、
前記睡眠開始段階＞前記ＮＲＥＭ睡眠段階＞前記ＲＥＭ睡眠段階という大きさの順序があり、
そのうち、前記ＲＥＭ睡眠段階は、最も深い睡眠に対応する、請求項７に記載の方法。
【請求項１２】
前記睡眠深度の変化傾向を確定し、確定された前記睡眠深度の変化傾向に基づいて睡眠調整装置を制御することをさらに含む、請求項１に記載の方法。
【請求項１３】
脳の睡眠パターンを管理する装置であって、
脳内の睡眠ホルモンの放出水準を測定するように配置された信号収集手段と、
前記睡眠ホルモンの放出水準に基づき、前記睡眠パターンにおける脳の睡眠深度及び睡眠段階を確定するとともに、前記睡眠深度の変化傾向をさらに確定するように配置された信号処理手段と、
前記睡眠深度、前記睡眠段階、前記睡眠深度の変化傾向の結果を受信して記録するとともに、前記結果を外部データベースに送信するように配置されたデータ記憶手段と、
前記信号処理手段から前記結果を受信するとともに、協働する睡眠調整装置を制御するように配置された制御手段と、
前記データ記憶手段と前記制御手段から、データ及び制御命令を、外部データベースと協働する睡眠調整装置とに送信するように配置された送信手段と、を備えた装置。
【請求項１４】
前記信号収集手段は、運動皮質から発射された空きパルスの体の少なくとも一部への下りに対する網状構造からの減衰／ブロック水準を測定することにより、前記睡眠ホルモンの放出水準を測定するように配置された、請求項１３に記載の装置。
【請求項１５】
前記信号収集手段は、前記脳の網状構造から前記体の少なくとも一部へ下った前記運動皮質から発射された空きパルスを測定することにより、前記減衰／ブロック水準を測定するように配置された、請求項１４に記載の装置。
【請求項１６】
前記信号収集手段は、
前記体の前記少なくとも一部の筋肉の皮膚に装着された電極を有し、前記体の前記少なくとも一部に測定された少なくとも１つの電位差の変化幅を測定するように配置された電位感知回路を備え、
前記信号収集手段は、測定された変化幅に基づき、前記運動皮質から発射された空きパルスを測定するように配置された、請求項１５に記載の装置。
【請求項１７】
前記信号処理手段は、脳が覚醒パターンから睡眠パターンへ移行する前に、前記体の一部に測定された前記電位差の前記変化幅の基準線測定値を用いて前記睡眠深度を定義するように配置された、請求項１６に記載の装置。
【請求項１８】
前記睡眠深度は、
前記睡眠深度＝測定された幅／前記基準線測定値で示されており、
そのうち、前記睡眠深度の値が小さければ小さいほど、睡眠が深くなる、請求項１７に記載の装置。
【請求項１９】
前記信号処理手段は、前記睡眠深度の変化傾向をさらに確定するように配置され、
また、前記装置は、確定された前記睡眠深度の変化傾向に基づいて、前記送信手段を介して、対をなして協働する前記睡眠調整装置を制御するように配置された制御手段をさらに備えた、請求項１３に記載の装置。
【請求項２０】
前記データ記憶手段は、前記信号処理手段によって処理された前記睡眠深度、前記睡眠段階、および、前記睡眠深度の変化傾向の結果を受信して記録するとともに、送信手段によって前記結果を外部データベースに送信するように配置された、請求項１３に記載の装置。
【発明の詳細な説明】
【技術分野】
【０００１】
脳の睡眠パターン管理システムについて、本願は、全体的にみると、運動皮質から発射された脳から体の一部へ下った空きパルスを感知することにより、脳の睡眠パターンでの睡眠深度及び全ての睡眠段階を感知する方法及び装置に関する。
関連出願
本願は、３５  ＵＳＣ§１１９（ｅ）に従い、２０１７年１０月２９日に提出されたアメリカ仮特許出願Ｎｏ.６２／５７８，４６３の優先権を主張しており、その内容を全体引用して本文に合併したものである。
【背景技術】
【０００２】
脳は、脳の種々の機能を提供する複数の機能部位からなり、そのうち、運動皮質機能部位が神経系を介して体の部分に対してニューロン電気的パルスを発射することで体の各部分の動きを駆動させる。運動皮質は複数の機能的クラスターに分けられる。各クラスターは、体内における特定の筋肉の動きを駆動させ、かつ、神経系を介して、脳から体の部分の筋肉への動き開始信号を有するか有しないかの電気的パルスを絶えずに発射し、そのうち、動き開始信号を有しないパルスは、体部位姿勢のための筋肉緊張度を引き起こす「空きパルス」であり、また、動き開始信号を有するパルスは、体の部分を動かせる筋肉の収縮を引き起こすものである。増幅回路を有する電極を用いることにより、脳の覚醒時に体の任意の部分の神経、筋肉、または、皮膚から空きパルスを検出することができる。例えば、脳の覚醒時に、信号増幅システムを有する電極を左腕の皮膚に置くことによれば、体の当該部分が何らかの動きもしていない場合に、皮膚に接触した電極との間の電位差が時間に伴って変化することを検出することができる。検出した電位差の変化は、運動皮質の右上部のクラスターから左腕へ空きパルスを発射した結果である。
【０００３】
脳には、覚醒パターンと睡眠パターンという２つの作動パターンがある。覚醒パターンにおいて、運動皮質のすべての機能的クラスターから発射された空きパルスは、神経系を介して全身のすべての体の部分に絶えずに到達し、かつ、体の任意の部分の神経または皮膚から空きパルスを検出することができる。睡眠パターンにおいて、脳から、ニューロンの動きを抑制する睡眠ホルモンが放出される。睡眠ホルモンの放出による影響下で、脳の網状構造の領域において、特に下り網状構造の網状脊髄束では、運動皮質から発射された空きパルスは、体の部分への下りが阻害される。
【０００４】
脳は、最初の覚醒パターンから初期睡眠パターンである所謂睡眠開始段階へ移行したときに、睡眠ホルモンが網状構造において僅かに放出されて、運動皮質から発射された空きパルスの下りが僅かに阻害されるようになる。それは、体の部分に測定された電位差の変化幅の減少として検出されることができる。
【０００５】
脳は、さらに、そのＮＲＡＭ（非急速眼球運動）睡眠段階に移行したときに、睡眠ホルモンが網状構造においてさらに放出されて、運動皮質から発射された空きパルスの下りがさらに阻害されるようになる。それは、体の部分に測定された電位差の変化幅の更なる減少として検出されることができる。
【０００６】
脳は、そのＮＲＡＭ（非急速眼球運動）睡眠段階に移行している間に、睡眠状態にあり、かつ、睡眠麻痺が生じる可能性があり、睡眠ホルモンが網状構造において大量に放出されて、運動皮質から発射された空きパルスの下りが完全に阻害されるようになる。それは、体の部分に測定された電位差の変化幅の消失（波形ではなく、直線となったもの）として検出されることができる。
【０００７】
体の部分の神経、筋肉、または、皮膚に測定された電位差の変化幅の減少を測定することにより、運動皮質から発射された空きパルスの網状構造から全ての体の部分への下降水準を測定することができ、そうすると、全ての段階における関連した脳の睡眠パターンを感知することができる。
【発明の概要】
【０００８】
本発明では、睡眠パターンにおける脳の睡眠深度及び全ての睡眠段階は、睡眠ホルモンの放出による影響下での運動皮質から発射された空きパルスの体のすべての部分への下りに対する網状構造、特に、下り網状構造の網状脊髄束による減衰／ブロック水準を感知することによって感知される。
【０００９】
本発明では、睡眠ホルモンの放出による影響下での運動皮質から発射された空きパルスの体のすべての部分への下りに対する網状構造、特に、下り網状構造の網状脊髄束による減衰／ブロック水準を感知することによって、睡眠パターンにおける脳の睡眠深度及び全ての睡眠段階を測定する一方法は、脳の網状構造から体の部分へ下った運動皮質から発射された空きパルスを測定することである。
【００１０】
本発明では、脳の網状構造から体の部分へ下った運動皮質から発射された空きパルスを測定することにより、睡眠パターンにおける脳の睡眠深度及び全ての睡眠段階を測定する一方法は、体の一部に測定された電位差の変化幅を測定することである。
【００１１】
本発明では、例えば、脳の網状構造から体の部分へ下った運動皮質から発射された空きパルスを測定することにより、睡眠パターンにおける脳の睡眠深度及び全ての睡眠段階を測定する一方法は、体の左腕に測定された電位差の変化幅を測定することである。
【００１２】
特に、睡眠開始段階、ＮＲＥＭ睡眠段階、および、ＲＥＭ睡眠段階という３つの段階における脳の睡眠パターンを管理する方法を提供している。即ち、睡眠ホルモンの放出による影響下での運動皮質から発射された空きパルスの体のすべての部分への下りに対する網状構造、特に、下り網状構造の網状脊髄束による減衰／ブロック水準に関する睡眠深度を感知し、そのうち、睡眠深度は、脳の覚醒パターンから睡眠パターンへ移行する前（即ち、運動皮質から発射された空きパルスの体のすべての部分への下りに対する網状構造、特に、下り網状構造の網状脊髄束による減衰／ブロック水準はゼロに近い場合）に体の左腕に測定された電位差の変化幅の基準線測定値を用いて定義されており、睡眠深度及び全ての睡眠段階には、以下の割合で定義や感知される。
即ち、睡眠深度＝測定された幅／基準線値
ただし、睡眠深度が小さければ小さくなるほど、睡眠が深くなり、かつ、睡眠深度の値の面では、睡眠パターンの三段階は、
ＲＥＭ＜ＮＲＥＭ＜睡眠開始という順序があり、
即ち、ＲＥＭ睡眠が最も深い睡眠である。
【００１３】
本発明の他面では、脳の網状構造から体の部分へ下った運動皮質から発射された空きパルスを感知することで脳の睡眠パターンを管理する装置であって、１）体の部分における筋肉の皮膚に装着された電極を有し、皮膚における２つの位置間の電位差を測定するための信号収集手段と、２）全ての段階において感知された睡眠深度及び脳の睡眠パターンを計算する信号処理手段と、３）処理された結果を記憶するデータ記憶手段と、４）当該装置に協働する睡眠調整装置へのオン・オフを決定して行動を行う制御手段と、５）データ及び制御命令を外部装置に送信する送信手段と、を備えた装置を提供する。当該装置では、筋肉の皮膚に装着された電極（皮膚からの電位信号を受信するためのもの）により、体の部分の筋肉における神経の運動皮質から発射された空き電位を感知し、その信号処理手段により、電極からの空き電位信号を収集し、睡眠時間の間隔内における空き電位の平均振幅を現在の睡眠深度として計算するとともに、当該値をその記憶手段に記録し、かつ、変化の傾きに基づいて睡眠深度の変化傾向を計算し、そのうち、正の傾きと負の傾きがそれぞれ、深度睡眠に入ること、および、非深度睡眠に入ることを示すものであり、そして、計算された睡眠深度の変化の傾きに基づいて睡眠への干渉をさらに決定することにより、より深い睡眠を取得したり、睡眠深度を保持したり、または、睡眠から脳を覚醒させたりして、また、協働する装置を制御するための命令をさらに送信することで、睡眠者に対して、より深い睡眠を持たせたり、睡眠深度を維持させたり、覚醒させたりする。
【００１４】
例えば、腕バンドには、複数の電極を有する信号取得手段、信号処理手段、データ記憶手段、制御手段、及び、無線送信手段が含まれ、そのうち、電極が左腕バンドの皮膚に装着されて、脳内の運動皮質の右上部から発射された空きパルスを受信し、受信した空きパルス信号が信号処理手段にて処理されて、睡眠継続時間帯に亘る睡眠深度及び睡眠深度の変化の傾きのために用いられ、そのうち、睡眠期間における特定の時刻ｉでの睡眠者の睡眠深度がＳＤ（ｉ）であり、以下のようなステップで計算される。
2020508823.tif 000003
そのうち、
2020508823.tif 000004
は時刻ｉでのサンプリングされた電位差の平均値であり、
また、
2020508823.tif 000005
は基準線電位差であって、脳が依然としてその覚醒パターンにある状態での睡眠開始時のサンプリングされた電位差の平均値である。
睡眠期間における特定の時刻ｉでの睡眠深度の変化傾向（傾き）ηiは以下のようなステップで計算される。
2020508823.tif 000006
そのうち、ＳＤ（ｉ−１）とＳＤ（ｉ）は、それぞれ、Ｔｉ時刻前に測定された睡眠深度値とＴｉ時刻に測定された睡眠深度値であり、Ｔ（ｉ−１）とＴ（ｉ）は、それぞれ、Ｔｉ時刻前の時間及びＴｉ時刻の時間である。
【００１５】
本発明では、睡眠深度、睡眠段階及び睡眠深度の変化傾向に対する処理結果は、データ記憶手段に記憶されて外部データベースにアップロードされる。また、覚醒傾向への睡眠干渉について、ηiが負のものとなったときに、制御手段はトリガされて、協働する睡眠調整装置をオンにしてウェイクアップさせ、そして、ηiが正のものとなって一定の時間にわたって継続すると、それをオフにする。深度睡眠傾向の睡眠感知について、ηiが正のものからゼロになり、かつ、ゼロになってから一定の時間にわたって継続すると、制御手段はトリガされて、協働する睡眠調整装置をオフにして深度睡眠にさせる。また、ηiがゼロから負のものになったときに、制御手段はトリガされて、協働する睡眠調整装置をオンにして深度睡眠にさせる。
【図面の簡単な説明】
【００１６】
本文では、添付図面を参照しながら、例示の方式のみにより、本発明のいくつかの実施の形態が記述されている。ここに、参照図面を詳しく検討する。強調すべきなのは、開示の詳細が例示であって本発明に係る実施の形態を説明的に検討するためのものである。その面では、添付図面による記述は、当業者に対して本発明に係る実施の形態をどのように実施するかを明瞭にさせる。
【００１７】
添付図面において、
【００１８】
図１は、網状構造を通過してから体の部分へ下った運動皮質から発射された空きパルスを感知することにより、脳の睡眠パターンを管理する方法を示す概略図であり、そのうち、電極が備えられた装置は左腕に装着されて、網状構造から左腕の右上部へ下ったことにより運動皮質から発射された空きパルスで発生した電位差の変化を測定する。
【００１９】
図２は、網状構造を通過してから体の部分へ下った運動皮質から発射された空きパルスを感知することにより、脳の睡眠パターンを管理する装置を示す概略図であり、当該装置が電位信号取得手段、信号処理手段、データ記憶手段、制御手段、および、送信手段を備えた。
【発明を実施するための形態】
【００２０】
以下は、添付図面を参照しながら、本発明のいくつかの実施の形態を記述する。
【００２１】
一実施の形態では、図１に示すように、脳１における睡眠深度と脳の睡眠パターンのすべての睡眠段階を感知する方法は、以下の通りである。睡眠パターン管理装置１０を用いて、網状構造４を通過してから左腕１２へ下った運動皮質２の右上部のクワスター３から発射された空きパルス１１を感知することにより、脳１内の睡眠ホルモンの放出による影響下での運動皮質２の右上部のクワスター３から発射された空きパルス１１の下りに対する脳１内の網状構造４による減衰／ブロック水準を感知し、睡眠パターン管理装置１０は、左腕１２に装着された電極８、９を備え、運動皮質２の右上部のクワスター３から発射された空きパルス１１で発生した電位信号を収集し、その信号処理手段１６により、収集されたデータを処理するとともに、処理の結果をデータ記憶手段１４と制御手段１５に送信し、制御手段１５は、送信手段７によって、その結果を外部装置へ送信するためのものであり、外部装置は、受信手段６によって、制御手段１５から命令を受信する協働する睡眠調整装置５を備えた。
【００２２】
他の一実施の形態では、図２に示すように、網状構造を通過してから体の部分へ下った運動皮質から発射された空きパルスを感知することにより脳の睡眠パターンを管理する装置の機能的モジュールでは、電位信号取得手段１７、信号処理手段１６、データ記憶手段１４、制御手段１５、および、送信手段１７を備えた。信号取得手段１７は、体の部分の皮膚に装着された電極８、９を備え、網状構造を介して下った運動皮質から発射された空きパルスで発生した電位信号を収集して電位差を確定するとともに、その結果を信号処理手段１６に送信する。信号処理手段１６は、時間に伴って変化する電位差を処理して睡眠深度の結果、睡眠深度の傾き（睡眠深度の変化傾向）に用いるとともに、その結果をデータ記憶手段１４と制御手段１５に送信し、制御手段１５は、送信手段７によって外部データベースに送信するとともに、協働する睡眠調整装置を制御するためのものである。
【図１】
2020508823.tif 000007
【図２】
2020508823.tif 000008
【国際調査報告】
2020508823.tif 000009
2020508823.tif 000010